(57)【特許請求の範囲】
【請求項１】
薬剤容器を保持する薬剤容器保持体と電源収納体とを構成するカートリッジを、薬剤容器保持体と電源収納体が側面視Ｌ字状になるように構成し、
一側面に通風口が設けられ、この通風口に通風するためのファンを内装した装置本体を、
この装置本体の通風口が上記薬剤容器保持体部に対向し、また下面が電源収納体部に位置するようにして上記カートリッジのＬ字状部内側に係脱可能に装着した
ことを特徴とするファン式薬剤拡散装置。
【請求項２】
薬剤容器保持体と薬剤容器を一体状にしたことを特徴とする請求項１記載のファン式薬剤拡散装置。
【請求項３】
装置本体にファンを駆動するモータへの通電をオン、オフするスイッチと通電を確認するためのパイロットランプを設けたことを特徴とする請求項１，２のいずれか１項記載のファン式薬剤拡散装置。
【請求項４】
装置本体に、この装置本体に電源収納体を装着した状態で電源収納部に収納した電源に接触して電源とスイッチを接続する接続部を設けたことを特徴とする請求項３記載のファン式薬剤拡散装置。
【請求項５】
一側面に設けた通風口に連通する他の通風口を装置本体の側面に設けたことを特徴とする請求項１，２いずれか１項記載のファン式薬剤拡散装置。
【請求項６】
装置本体に、装置本体と電源収納体及び／または薬剤容器保持体との装着を解除する装着解除手段を設けたことを特徴とする請求項１，２のいずれか１項記載のファン式薬剤拡散装置。
【請求項７】
装置本体の背面に、装置本体を吊り下げるための部材、及び／または他の物品に固定するための部材を設けたことを特徴とする請求項１，２のいずれか１項記載のファン式薬剤拡散装置。
【請求項８】
電源収納体の電源収納部が、薬剤容器を通るファンによる気流に接触しない位置にあることを特徴とする請求項１，２のいずれか１項記載のファン式薬剤拡散装置。
【請求項９】
電源が電池であることを特徴とする請求項１，２，３，４のいずれか１項記載のファン式薬剤拡散装置。
【請求項１０】
電源収納体の電池収納部に収納された電池の一部が外部に露出していることを特徴とする請求項９記載のファン式薬剤拡散装置。
【請求項１１】
電池収納部が電源収納体に対して引き出し状になっていることを特徴とする請求項９，１０のいずれか１項記載のファン式薬剤拡散装置。
【請求項１２】
電池収納部に、装置本体に設けた接続部が電池収納部内の電池の端子に接触させるための切り欠き部を設けたことを特徴とする請求項９記載のファン式薬剤拡散装置。
【請求項１３】
電池消耗点と薬剤消費終了点を一致させたことを特徴とする請求項９記載のファン式薬剤拡散装置。
【請求項１４】
装置本体に対して電源収納体及び／または薬剤容器保持体を装着する手段がスライド式であることを特徴とする請求項１，２いずれか１項記載のファン式薬剤拡散装置。
【請求項１５】
装置本体と電源収納体及び／または薬剤容器保持体とのスライド装着部を、装置本体と電源収納体及び／または薬剤容器保持体のそれぞれのスライド方向両側に設けたことを特徴とする請求項１４記載のファン式薬剤拡散装置。
【請求項１６】
装置本体に設けられたパイロットランプが発光ダイオードであることを特徴とする請求項３記載のファン式薬剤拡散装置。
【請求項１７】
薬剤容器保持体に対して、これの外側から薬剤容器を着脱可能に装着することを特徴とする請求項１記載のファン式薬剤拡散装置。
【請求項１８】
装置本体の側面に設けた通風口、薬剤容器保持体の外側の通風口、または薬剤容器保持体に保持された薬剤容器の露出部をそれぞれカバーするフードを設けたことを特徴とする請求項５記載のファン式薬剤拡散装置。
【請求項１９】
ファンを薬剤容器側へ風を送る方向に設け、このファンと薬剤容器との間にヒータを設けたことを特徴とする請求項１，２のいずれか１項記載のファン式薬剤拡散装置。
【請求項２０】
薬剤容器の一端部を薬剤容器保持体より外方へ突出し、この突出端部と他の薬剤容器とを連結手段にて連結することを特徴とする請求項１，２のいずれか１項記載のファン式薬剤拡散装置。
【請求項２１】
薬剤容器の容量を可変にしたことを特徴とする請求項１，２のいずれか１項記載のファン式薬剤拡散装置。
【請求項２２】
薬剤容器の一端部に、薬剤容器内を通る風量を制御するシャッタを設けたことを特徴とする請求項１，２のいずれか１項記載のファン式薬剤拡散装置。
【請求項２３】
装置本体に、タイマを設けたことを特徴とする請求項１，２のいずれか１項記載のファン式薬剤拡散装置。
【発明の詳細な説明】
【０００１】
【発明の属する技術分野】
本発明は、モータによって駆動するファン（送風機）の風の力で薬剤を揮散、拡散させるファン式薬剤拡散装置に関するものである。
【０００２】
【従来の技術】
モータによって駆動されるファンの風の力で薬剤を揮散、拡散させる装置としては、特開昭５３−１４３２９号公報にて知られている。
【０００３】
この従来の装置は、モータとファンを具備した円筒状ハウジング（装置本体）内に、電池と、薬剤を保持する薬剤保持体とを具備したカートリッジを取り替え可能に挿入し、上記ファンによる風によりカートリッジ内の薬剤を揮散、拡散させ、薬剤を使い切った終了時にこのカートリッジを電池ごと廃棄し、新しいカートリッジを挿入して再度使用に供するようになっている。
【０００４】
【発明が解決しようとする課題】
しかしながら、上記従来の装置では一定の大きさの円筒状ハウジング内にカートリッジを挿入するようになっているため、このカートリッジの大きさが円筒状ハウジングの大きさによって制限を受けて限定されることになり、従って電池の本数、薬剤保持体（薬剤収納容器）の大きさも自ずと制限されることになり、より長時間の使用や、効力の増大を図るという対応ができなかった。
【０００５】
また、ファンによって生ずる気流に接触する位置に電源が存在するため、この電池が送風流の抵抗になり、薬剤の拡散効率が悪くなるという不都合がある。
【０００６】
本発明は上記のことにかんがみなされたもので、装置本体と、薬剤容器と、電源収納体のそれぞれが互いに独立した容積（大きさ）にすることができ、容量の異なる容器本体と、薬剤容器と電源収納体を用意してこれを選択して用いることにより、ファンによる送風量に対する薬剤の保持量、使用時間の長短等の設定を容易に行うことができると共に、上記した従来の装置における問題点を解決することができるようにしたファン式薬剤拡散装置を提供することを目的とするものである。
【０００７】
【課題を解決するための手段】
上記目的を達成するために、本発明の請求項１に係るファン式薬剤拡散装置は、薬剤容器を保持する薬剤容器保持体と電源収納体とを構成するカートリッジを、薬剤容器保持体と電源収納体が側面視Ｌ字状になるように構成し、一側面に通風口が設けられ、この通風口に通風するためのファンを内装した装置本体を、この装置本体の通風口が上記薬剤容器保持体部に対向し、また下面が電源収納体部に位置するようにして上記カートリッジのＬ字状部内側に係脱可能に装着した構成になっている。
【０００９】
また、請求項２に係るファン式薬剤拡散装置は、上記請求項１に係るファン式薬剤拡散装置において、薬剤容器保持体と薬剤容器を一体状にした構成になっている。
【００１０】
また、上記したファン式薬剤拡散装置において、装置本体にファンを駆動するモータへの通電をオン、オフするスイッチと通電を確認するためのパイロットランプを設け、また、装置本体に、この装置本体に電源収納体を装着した状態で電源収納部に収納した電源に接触して電源とスイッチを接続する接続部を設け、また、一側面に設けた通風口に連通する他の通風口（吸排気口）を装置本体の側面に設け、また、装置本体に、装置本体と電源収納体及び／または薬剤容器保持体との装着を解除する装着解除手段を設けた。
【００１１】
さらに、装置本体の背面に、装置本体を吊り下げるための部材、及びまたは他の物品に固定するための部材を設け、また、電源収納体の電源収納部が、薬剤容器を通るファンによる気流に接触しない位置にある。
【００１２】
そしてさらに、電源が電池であり、電源収納体の電源収納部に収納された電池の一部が外部に露出しており、この電池収納部が電池収納体に対して引き出し状になっており、電池収納部に、装置本体に設けた接続部が電池収納部内の電池の端子に接触させるための切り欠き部を設けた。
【００１３】
またさらに、電池消耗点と薬剤消費終了点を一致させ、装置本体に対して電源収納体及び／または薬剤容器保持体を装着する手段をスライド式にし、このスライド装着部を、装置本体と電源収納体及び／または薬剤容器保持体のそれぞれのスライド方向先端部と基端部に設けた構成になっている。また、装置本体に設けられたパイロットランプが発光ダイオードである。
【００１４】
そして上記請求項１に係るファン式薬剤拡散装置において、薬剤容器保持体またはカートリッジに対して、これの外側から薬剤容器を着脱可能に装着できるようにし、また、装置本体に設けた通風口、薬剤容器保持体またはカートリッジの外側の通風口、または薬剤容器保持体またはカートリッジに保持された薬剤容器の露出部をカバーするフードを設けた。
【００１５】
また、ファンを薬剤容器側へ風を送る方向に設け、このファンと薬剤容器との間にヒータを設け、また、薬剤容器の一端部を電源収納体より外方へ突出し、この突出端部と他の薬剤容器とをねじ込みや継筒等の連結手段にて連結し、また、薬剤容器の容量を可変にし、さらに薬剤容器の一端部に、薬剤容器内を通る風量を制御するシャッタを設けた。そしてさらに、装置本体にタイマを設けた。
【００１６】
【作  用】
薬剤容器は薬剤保持体に、または薬剤容器保持体と電源収納体とが一体となったカートリッジの薬剤容器保持部に着脱自在に装着され、これは装置本体に対して着脱自在に装着される。さらに、薬剤容器は薬剤容器保持体、またはカートリッジに一体に形成され、これは装置本体に着脱自在に装着される。スイッチをオンにすることにより装置本体内のファンが駆動され、薬剤容器を介して空気が吸引され、このときにこの空気流に薬剤容器内の薬剤が揮散混入され、この薬剤混入空気が装置本体の側面に設けた通風口より、装置本体の側方へ排出される。装置本体に対して薬剤容器と電源収納部の容積は自由に設定できる。逆に薬剤容器と電源収納部に対して装置本体の容積も自由に設定できる。
【００１７】
上記スイッチのオン状態では発光ダイオードからなるパイロットランプが点灯してファンが回転中であることを表示する。
【００１８】
また、上記薬剤容器は薬剤容器保持体またはカートリッジの薬剤容器保持部に対して、これの外側から着脱可能に装着できる。また、通風口及び薬剤容器の外部露出部がフードにてカバーされる。また、ヒータにより薬剤容器内を通る風を昇温することができる。また、薬剤容器の容量を変えることにより、薬剤容器の使用時間を変えることができる。さらに、電源が電池である場合、その電池の本数を増減することより、モータ（送風機）の回転数を変えたり、回転の持続時間を変えたりすることができる。装置本体に組み込まれているファンもその大きさを加減することができ、処理する場所に応じた風速、風量が得られる。そしてさらに、シャッタにて通風量を変えることにより、薬剤の拡散量を変えられる。
【００１９】
【発明の実施の形態】
本発明の実施の形態を図面に基づいて説明する。図中１は装置本体、２は電源収納体２ａと薬剤容器保持体２ｂが一体となったカートリッジ、３は薬剤容器である。そして、薬剤容器３はカートリッジ２の薬剤容器保持体２ｂの薬剤容器保持部４に係脱可能に保持されるようになっている。このカートリッジ２は上記装置本体１に対してこれの薬剤容器保持部４の軸心と直角方向にスライドして係脱可能に装着されるようになっている。６は装置本体１に装着されている上記カートリッジ２の装着を解除する装着解除ボタンである。
【００２０】
薬剤容器３は軸方向中間部にフランジ７を有する筒状の側壁の一方を端壁８で閉じた容器本体３ａと、この容器本体３ａの他方の開放端を閉じる蓋体３ｂとからなり、端壁８と蓋体３ｂには多数の通気孔９が設けてある。この薬剤容器３内に空気中で揮散可能にした後述する薬剤を含浸したビーズ状の薬剤含浸体１０が収納されている。上記端壁８と蓋体３ｂのそれぞれの通気孔９による開口面積は薬剤容器３の端面面積の６０％以上になっている。なお、上記薬剤含浸体１０の形状は、ビーズ状以外に線状、小片の集合体、ハニカム、スポンジ等であってもよい。そしてこれの材質はパルプ、不織布、織物、合成樹脂、シリカゲル等の無機物が用いられる。
【００２１】
電源収納体２ａと共に薬剤容器保持体２ｂを構成するカートリッジ２は側面形状がＬ字状になっている。そしてこれの基部に一方を開放して空胴にした上記電源収納部１１が設けてあり、この電源収納部１１に電源である電池１２を２本収納可能にした電池ケース１３が出し入れ可能に引き出し状に挿入されている。
【００２２】
電池ケース１３の電池１２の軸方向一端側には各電池１２の一方の端子の相互を接続する接続端子１４が内装してあり、また他端側には各電池１２の他方の端子を露出させる切欠き１５が設けてある。そしてこの電池ケース１３が挿入される電源収納体２ａの基部側面には上記電池ケース１３の切欠き１５，１５に対応する位置に切欠き穴１６，１６が設けてあり、電源収納体２ａの外側から上記電池ケース１３内の電池１２の端子に通電部材（接触子３６）が接触可能になっている。
【００２３】
また、電池ケース１３の外側壁１７には内側の電池１２の有無を確認するための孔１８が設けてある。さらにこの外側壁１７には上記解除ボタン６によって作動する係止ノッチ１９が係脱可能に係合するフック２０が設けてある。
【００２４】
電源収納体２ａの上部で電源収納部１１から離間した位置の薬剤容器保持体２ｂには円形に開口された薬剤容器保持部４が構成されており、この薬剤容器保持部４の内面に、内側から挿入された薬剤容器３のフランジ７を軸方向に係止する突片２１ａ，２１ｂが設けてある。内側の突片２１ｂはフランジ７の出し入れにより変形し、フランジ７が、これを外側へ乗り越えることより薬剤容器３が薬剤容器保持部４に保持され、また内側へ乗り越えることにより、薬剤容器保持部４から内側へ取り外されるようになっている。
【００２５】
カートリッジ２のスライド方向先端に係止突起２２が、またスライド方向基端部の両側にレール２３，２３がそれぞれカートリッジ２と装置本体１との係合方向に設けてある。
【００２６】
次に装置本体１の構成を説明する。この装置本体１の上記カートリッジ２との係合側には、カートリッジ２の薬剤容器保持部４に保持された薬剤容器３に対向し、かつこの対向部に内側通風口２４を有する上部内壁２５と、電源収納体２ａの基部に対向する下部内壁２６とを有しており、この両内壁２５，２６と外壁２７との間の空間内に、上記内側通風口２４と、外壁２７に設けた外側通風口２８とを連通する渦巻状のダクト２９が設けてある。そしてこのダクト２９内に、このダクト２９に支持されたモータ３０の軸３１に結合したシロッコ型のファン３２がこれの軸心部を上記内側通風口２４に向けて設けてある。上記外側通風口２８は装置本体１の内側通風口２４に対して略直角方向に向けて外壁２７の側面に開口されており、ファン３２の風は装置本体１の側方へ向けて排気されるようになっている。
【００２７】
装置本体１の内側上端部には、カートリッジ２の頂部に設けた係止突起２２が係合する係合穴３３が設けてあり、また下部の内側両面にレール２３が係合する溝３４，３４が設けてある。
【００２８】
また、装置本体１内には、図５、図１１に示すように、カートリッジ２が装置本体１に係合した状態で電池ケース１３に設けたフック２０に係合する係止ノッチ１９が内装してある。この係止ノッチ１９は、これと一体状にプラスチックにて構成されたばね部３５を介して装置本体１内に横方向に移動自在に内装されており、これの移動方向他端部が装置本体１の外壁２７にスライド自在に設けた装着解除ボタン６に連結されている。
【００２９】
装置本体１の下部の一方の内側面で、かつ電源収納体２ａの切欠き穴１６，１６に対向する位置に、この切欠き穴１６，１６より電池ケース１３内に入って電池１２の端子に接触する２個の接触子３６，３６が設けてある。この接触子３６，３６は弾性を有する針金にて構成されている。そしてこの両接触子３６，３６は装置本体１の外壁２７内に設けたオン、オフ切換用のスイッチ３７を介してモータ３０に接続されている。このスイッチ回路内に、スイッチ３７がオンとなったときに点灯するパイロットランプ３８が接続されている。また、このスイッチ回路にタイマ３８ａをスイッチ３７と直列に介装してもよい。スイッチ３７は外壁２７より露出する摺動片３９により切換えられるようになっている。
【００３０】
装置本体１の背面には舌片状の弾性を有するクリップ４０が設けてある。このクリップ４０は、これの根本部が外壁２７より離間し、先端部から少し手前側で外壁２７に最も接近し、先端部が円弧状になって外壁２７より離間する形状になっている。またこのクリップ４０の中央部には、外壁２７に接近する部分から根本側にわたってくり抜き部４１が設けてあり、このくり抜き部４１に外壁２７に突設した突起４２が嵌まり合っている。装置本体１の背面上部にストラップを通すための紐通し穴４３が設けてある。
【００３１】
上記構成において、電池１２をセットした電池ケース１３を電源収納部１１に挿入したカートリッジ２の薬剤容器保持部４に、これの内側から薬剤容器３を保持する。このカートリッジ２を、装置本体１に、これの上記内壁２５に沿ってスライドして組み込む。このとき、カートリッジ２の係止突起２２，２２が装置本体１の係合穴３３に係合し、レール２３，２３が溝３４，３４に係合し、さらに、電池ケース１３の外側壁１７に設けたフック２０が装置本体１の係止ノッチ１９に係合することにより、カートリッジ２が装置本体１に係合される。このときの係止ノッチ１９はフック２０のカム面２０ａに沿って移動し、フック２０のアゴ部に係合する。
【００３２】
この状態で、装置本体１の上部内壁２５に設けた内側通風口２４がカートリッジ２の薬剤容器３に対向する。また装置本体１の下部の一方の内側部に設けた接触子３６，３６が電源収納体２ａの切欠き穴１６，１６内に入り、ここから電池ケース１３内の電池１２の端子に接触し、モータ３０に対する電気回路が構成される。摺動片３９をスライドしてスイッチ３７をオンにすることによりモータ３０が駆動され、装置本体１の内側通風口２４より薬剤容器３を通過した外側からの外気が吸引され、ダクト２９を通って外側通風口２８より排出される。これによって薬剤容器３内の薬剤含浸体１０に含浸され、ここを通る空気中に揮散された薬剤成分が外側通風口２８より外方へ揮散される。このときのファン３２による風は電池１２から離れた位置を通る。
【００３３】
スイッチ３７がオンになった作動時にはパイロットランプ３８に通電されてこれが点灯し、作動中であることが表示される。また、スイッチ回路にタイマ３８ａを介装した場合には、上記オン状態を所定の時間にオフにすることができる。
【００３４】
カートリッジ２の取り外しは、装着解除ボタン６を内側へ押し込み、係止ノッチ１９をフック２０から外すことにより行われる。
【００３５】
外側通風口２８には複数の桟２８ａが設けてあり、この各桟２８ａの間を通って空気が排出されるようになっている。この桟２８ａは装置本体１への手指の挿入や異物の挿入を阻止することができ、危険防止やファンの停止を防ぐ役割を果たす。
【００３６】
また、上記スイッチ３７のオンにより通電されて点灯されるパイロットランプ３８は、装置全体の消費電流値の１５％以下の発光ダイオードを用いることにより、電池の消費エネルギーの節約になる。このパイロットランプ３８は電池電圧の降下と共に徐々に輝度が低下していき、電池の終了と共に消灯する。
【００３７】
また上記実施の形態において、薬剤容器３の容量は薬剤容器３の大きさを薬剤容器保持体２ｂの薬剤容器保持部４よりの突出方向に大きくすることにより任意にとることができる。
【００３８】
一方電池１２の本数及び大きさ（単３、単２、単１）は電源収納体２ａの電源収納部１１の大きさ及び電池ケース１３の大きさを変えることにより任意にとることができる。図１２に、電源収納体２ａの電源収納部１１及び電池ケース１３の大きさを大きくして、この中に４本の電池１２を収納するようにした例を示す。この場合、電池ケース１３の外側壁１７に設けるフック２０の位置を変えさえしなければ、装置本体１を共通にして用いることができる。また、カートリッジ２に対して装置本体１の容積も増減してファンとモータの容量を増減することができる。
【００３９】
これらの実施の形態のように、容量の異なる薬剤容器３を用意してこれを任意に変えることにより薬剤消費時間が変えられ、また、電池容量の異なる電源収納体２ａを用意してこれを任意に変えることにより電池消耗時間を変えることができる。さらにまた、この実施の形態では装置本体１の容積も増減できるため、装置本体１に組み込まれるファンとモータ（送風機）の大きさも加減でき、処理場所に応じた風速、風量を選択できる。そして本発明装置にあっては、電池消耗時間と薬剤消耗時間が一致するようにした。これにより、薬剤の効力がなっくなった状態でカートリッジ２を変換するだけで、直ちに再使用できる。
【００４０】
なお、上記した発明の実施の形態では、電源に電池を用いた例を示したが、これは電源に商業電力を用いてもよい。この場合、電源収納体２ａの電源収納部１１に、家庭用のコンセントに挿し込むプラグを設けるようにすると共に、商業電力をファン３２を駆動するモータ３０に適した電力に変換する電力変換装置を内装する。また、商業電力と電池の何れかを選択して使用できるようにしてもよく、例えば商業電力を用いる場合は、電池側の回路が装置本体の回路から遮断されるようにする。
【００４１】
また、上記電源に蓄電池を用い、適宜充電するようにしてもよい。
【００４２】
このように、装置本体１に対して、薬剤容器３の容量及び電源の容量を、容積的に制限を受けることなく配置することができ、また、薬剤容器３は薬剤容器保持体２ｂに対して容積的（軸方向の大きさ）に制限を受けることなく配置することができる。また、逆にカートリッジ２に対して装置本体１も容積的に制限を受けない。
【００４３】
上記した実施の形態では、図４、図５等に示すように薬剤容器３は薬剤容器保持体２ｂの薬剤容器保持部４の内側から挿入し、これのフランジ７を一方の突片２１ｂを乗り越えて保持するようにしたが、薬剤容器３を薬剤容器保持体２ｂの薬剤容器保持部４へ外側から挿入保持するようにしてもよい。
【００４４】
図１３はその実施の形態を示すもので、薬剤容器保持体２ｂの薬剤容器保持部４の外側端部を薬剤容器３のフランジ７が入る大きさに開放し、このフランジ７を軸方向に係止する２つの突片２１ａ，２１ｂのうち、フランジ７が乗り越える一方の突片２１ｂを外側に設け、薬剤容器３を外側から挿入して薬剤容器保持部４に保持するようになっている。なお、この薬剤容器３を薬剤容器保持体２ｂの薬剤容器保持部４へこれの外側から挿入して取り付ける構成の場合、薬剤容器３を薬剤容器保持部４へねじ込むようにしてもよい。
【００４５】
この実施の形態によれば、カートリッジ２を装置本体１に係脱することなしに、薬剤容器３を単独に交換することができ、薬剤容器３の交換が容易になる。
【００４６】
図１４、図１５は他の実施の形態を示すもので、装置本体１の外側通風口２８の外側と、薬剤容器保持体２ｂの薬剤容器保持部４の外側のそれぞれを第１・第２の各フード５１，５２にてカバーした構成になっている。
【００４７】
第１のフード５１は外側通風口２８の開口上側をカバーする形状になっていて、外側通風口２８の周囲に設けた係止部５３に係脱可能に係止されるようになっている。
【００４８】
一方、第２のフード５２は、上側をひさし状に長くした筒状になっていて、これは薬剤容器保持体２ｂの薬剤容器保持部４の外側突出部に係脱可能に係合するようになっている。
【００４９】
この実施の形態によれば、雨降りのときに、雨が外側通風口２８に入るのを防止できると共に、薬剤容器３内の薬剤が雨に濡れるのを防止できる。
【００５０】
また、上記した実施の形態では、薬剤容器３内に薬剤を含浸させた薬剤含浸体１０を充填した例を示したが、図１６、図１７に示したように、薬剤容器５４を仕切板５５にて仕切り、その一方に薬液５６を入れ、他方に含浸体５７を充填し、仕切板５５を貫通する吸液芯５８にて薬液５６を含浸体５７に吸液含浸するようにしてもよい。この場合、含浸体５７に含浸した薬液は薬剤容器５４を通過する空気流にて揮散して外部へ放出される。
【００５１】
この実施の形態では、薬剤容器５４に天地が生じるため、カートリッジ２の薬剤容器保持部４への係合時に、装置の使用状態において、薬液収納部が下側に位置するように係合する。
【００５２】
図１８は薬剤容器３に対する風の向きを逆にすると共に、薬剤容器３を通る風を加熱することができるようにした実施の形態を示すものである。
【００５３】
すなわち、モータ３０の軸３１に軸流型のファン５９が内側通風口２４の外側へ向けて、かつモータ３０の回転により外側へ風を送るようにして結合されている。また、このファン５９と内側通風口２４の端面との間に円板状のヒータ６０が上部内壁２５に設けた係止部６１に係止して設けてある。このヒータ６０は図示しない電気回路にてファン５９を駆動するモータ３０と並列に電源に接続されている。この電気回路内にオン、オフスイッチを介装すれば、ヒータ６０を必要に応じて加熱することができる。
【００５４】
この実施の形態によれば、薬剤揮散空気が薬剤容器３の外側へ放散される。また、このときヒータ６０を加熱することにより、薬剤容器３を通る風の温度を高くすることができ、薬剤容器３内の薬剤含浸体１０からの薬剤揮散を助長することができる。なお、このときの空気の吸入は外側通風口２８より行われる。
【００５５】
図１９に、また図２０にて示した実施の形態は装置に装着して用いる薬剤容器の薬剤容量を可変にした例を示す。
【００５６】
すなわち、図１９に示した実施の形態は、薬剤容器保持体２ｂに薬剤容器３を保持したカートリッジ２において、薬剤容器３の薬剤容器保持体２ｂより突出している部分に、継筒６２の一端部を嵌合し、これの他端側に他の薬剤容器３を嵌合する。
【００５７】
この実施の形態によれば、継筒６２によって２個の薬剤容器３を同心状に連結することができ、使用時において前述した実施の形態の場合に比較して薬剤容量を２倍にすることができた。
【００５８】
また、この実施の形態において、継筒６２により順次複数の薬剤容器３を連結することができ、使用時の薬剤容量を薬剤容器１個分の容量での任意倍数に選択できる。なお、この継筒６２は薬剤容器３のフランジ７の外側側面を延長して薬剤容器３と一体的に形成することもでき、押し込みによる嵌合のみならず、ねじ込みによる嵌合も採用できる。
【００５９】
図２０は１個の薬剤容器６３において、これの容器本体６３ａに対する蓋体６３ｂの嵌合位置によって、この薬剤容器６３の容量を変えることができるようにした例を示すものである。
【００６０】
容器本体６３ａの内面には複数（３本）の係合溝６４ａ，６４ｂ，６４ｃがこれの軸方向に適当な間隔をとって設けてある。一方、これに係合する突条６５を設けた蓋体６３ｂの容器本体６３ａとの嵌合部６３ｃの長さを長くしてあり、上記嵌合部６３ｃの突条６５を容器本体６３ａのどの係合溝６４ａ，６４ｂ，６４ｃに係合させるかによって嵌合部６３ｃの容器本体６３ａとの嵌合深さが変えられて薬剤容器６３の容量が変えられる。
【００６１】
この実施例における容器本体６３ａのフランジ７の容器本体６３ａの端面からの位置ａは図４に示した薬剤容器３のものと同じであり、この実施例の薬剤容器６３は図４にて示した場合と同様にしてカートリッジ２の薬剤容器保持体２ｂに係脱可能に保持することができる。
【００６２】
この実施例では、薬剤容器６３の容器は、係合溝６４ａ，６４ｂ，６４ｃの間隔分に応じて段階状に変化される。
【００６３】
なお薬剤容器の容器本体に対して蓋体の嵌合部をねじ結合するようにしておくことにより、これのねじ込み深さを変えることにより、容器本体に対する蓋体の嵌合深さが変えられて、この容器を無段階に変えることができる。
【００６４】
図２１は薬剤容器６６の容器本体６６ａの外側部分に蛇腹を採用したものである。この薬剤容器６６の容器本体６６ａは薬剤容器保持体２ｂの内側にある内側部分６６ｃと外側にある外側部分６６ｂとからなり、この外側にある部分６６ｂが蛇腹構成になっている。この外側部分６６ｂの先端面には多数の通気孔９が設けてあり、他端には内側部分６６ｃの端部に係合するフランジ６７が設けてある。
【００６５】
この実施の形態では、外側部分６６ｂの蛇腹の伸縮度を加減することにより、薬剤容器６６内の薬剤容量を変えることができる。
【００６６】
図２２から図２４は薬剤容器６８を通る風量を変えることにより薬剤揮散量を変えることができるようにした例を示す。
【００６７】
すなわち、両側面に通気孔９を有する薬剤容器６８において、この薬剤容器６８の一側面での通気孔９は、円方向の等間隔をあけて設けた通気部分６８ａに複数個ずつ設けてある。そして薬剤容器６８の一側面の外側にはシャッタ６９がピン７０を支点にして回転自在に設けてあり、このシャッタ６９には回転することにより、上記通気部分６８ａと、通気孔９がない部分に選択的に対向する開口窓７１が設けてある。
【００６８】
しかして、この実施の形態では、シャッタ６９を回転してこれの開口窓７１と薬剤容器６８の通気部分６８ａとの重複する面積を変えることにより、薬剤容器６８を通る空気量を調節することができる。
【００６９】
図２５、図２６はカートリッジ２を構成する電源収納体２ａと薬剤容器保持体２ｂとを着脱自在にして別体にした例を示す。薬剤容器保持体２ｂの先端には本体装置１の係合穴３３に係合する係止突起２２が設けてあり、下部の両側に本体装置１の下部の内側両面に設けた溝３４，３４に係合するレール２３ａ，２３ａが設けてある。
【００７０】
一方電源収納体２ａの両側には、上記薬剤容器保持体２ｂのレール２３ａ，２３ａと共に本体装置１の溝３４，３４に係合するレール２３ｂ，２３ｂが設けてある。
【００７１】
この構成において、装置本体１に対するカートリッジ２の組み立ては、まず薬剤容器３を保持した薬剤容器保持体２ｂを、これの係止突起２２を係合穴３３は係合すると共に、両側のレール２３ａ，２３ａを溝３４，３４に係合して装置本体１に組み付ける。
【００７２】
ついで電源収納体２ａを、これのレール２３ｂ，２３ｂを装置本体１の溝３４，３４に係合して、先端が薬剤容器保持体２ｂの下面に当接するまで装置本体１に挿入する。この状態で電源収納体２ａの電池ケース１３の外側壁１７に設けたフック２０が装置本体１に設けた係止ノッチ１９に係合されて組み付けられる。
【００７３】
この実施の形態によれば、電源収納体２ａと薬剤容器保持体２ｂが装置本体１に対して個々に交換することができる。
【００７４】
また、上記した本発明の各実施の形態においては、薬剤容器を薬剤容器保持体を介して装置本体側に係合保持するようにした構成にしたが、この薬剤容器は薬剤容器保持体と一体状にしてもよい。また薬剤容器を薬剤容器保持体を介さずに、直接装置本体に着脱自在に装着するようにしてもよい。
【００７５】
上記各実施の形態において使用される薬剤（有効成分）としては、芳香剤、消臭剤、殺菌剤、殺ダニ剤、害虫あるいは害獣忌避剤、殺虫剤または害虫の成長制御剤、吸血行動阻止剤などで、揮散性のものが用いられる。
【００７６】
そして、上記の薬剤で、殺虫を目的として使用する場合、従来より用いられている各種揮散性殺虫剤を用いることができ、ピレスロイド系殺虫剤、カーバメート系殺虫剤、有機リン系殺虫剤等を挙げることができる。一般に安全性が高いことからピレスロイド系殺虫剤が好適に用いられ、次のものが例示されるが、特にこれらの化合物に限定されるものではない。
・一般名；化学名（商品名、メーカー）
＊アレスリン；ｄｌ−３−アリル−２−メチル−４−オキソ−２−シクロペンテニル  ｄｌ−シス／トランス−クリサンテマート（ピナミン、住友化学工業（株））。
＊ｄｌ・ｄ−Ｔ８０−アレスリン；ｄｌ−３−アリル−２−メチル−４−オキソ−２−シクロペンテニル  ｄ−シス／トランス−クリサンテマート（ピナミンフォルテ、住友化学工業（株））。
＊ｄｌ・ｄ−Ｔ−アレスリン；ｄｌ−３−アリル−２−メチル−４−オキソ−２−シクロペンテニル  ｄ−トランス−クリサンテマート（バイオアレスリン）。
【００７７】
＊ｄ・ｄ−Ｔ−アレスリン；ｄ−３−アリル−２−メチル−４−オキソ−２−シクロペンテニル  ｄ−トランス−クリサンテマート（エスビオール）。
＊ｄ・ｄ−Ｔ８０−プラレトリン；（＋）−２−メチル−４−オキソ−３−（２−プロピニル）−２−シクロペンテニル  （＋）−シス／トランス−クリサンテマート（エトック、住友化学工業（株））。
＊レスメトリン；５−ベンジル−３−フリルメチル  ｄｌ−シス／トランス−クリサンテマート（クリスロン、住友化学工業（株））。
＊ｄｌ・ｄ−Ｔ８０−レスメトリン；５−ベンジル−３−フリルメチル  ｄ−シス／トランス−クリサンテマート（クリスロンフォルテ、住友化学工業（株））。
【００７８】
＊エンペントリン；１−エチニル−２−メチル−２−ペンテニル  ｄｌ−シス／トランス−３−（２，２−ジメチルビニル）−２，２−ジメチル−１−シクロプロパンカルボキシラート（ベーパースリン、住友化学工業（株））。
＊テラレスリン；ｄｌ−３−アリル−２−メチル−４−オキソ−２−シクロペンテニル−ｄｌ−シス／トランス−２，２，３，３−テトラメチル−シクロプロパンカンボキシラート（ノックスリン、住友化学工業（株））。
＊フタルスリン；Ｎ−（３，４，５，６−テトラヒドロフタリミド）−メチルｄｌ−シス／トランス−クリサンテマート（ネオピナミン、住友化学工業（株））。
＊ｄｌ・ｄ−Ｔ８０−フタルスリン；（１，３，４，５，６，７−ヘキサヒドロ−１，３−ジオキソ−２−インドリル）メチル  ｄｌ−シス／トランス−クリサンテマート（ネオピナミンフォルテ、住友化学工業（株））。
＊フラメトリン；５−プロパギル−２−フリルメチル  ｄ−シス／トランス−クリサンテマート（ピナミンＤ、住友化学工業（株））。
【００７９】
＊ペルメトリン；３−フェノキシベンジル  ｄｌ−シス／トランス−３−（２，２−ジクロロビニル）−２，２−ジメチル−１−シクロプロパンカルボキシラート（エクスミン、住友化学工業（株））。
＊フェノトリン；３−フェノキシベンジル  ｄ−シス／トランス−クリサンテマート（スミスリン、住友化学工業（株））。
＊イミプロスリン；２，４−ジオキソ−１−（プロプ−２−イニル）−イミダゾリジン−３−イルメチル（１Ｒ）−シス／トランス−クリサンテマート（プラール、住友化学工業（株））。
＊フェンバレレート；α−シアノ−３−フェノキシベンジル−２−（４−クロロフェニル）−３−メチルブチレート（スミサイジン、住友化学工業（株））。
＊シペルメトリン；α−シアノ−３−フェノキシベンジル  ｄｌ−シス／トランス−３−（２，２−ジクロロビニル）−２，２−ジメチルシクロプロパンカルボキシラート（アグロスリン、住友化学工業（株））。
【００８０】
＊シフェノトリン；（±）α−シアノ−３−フェノキシベンジル  （＋）−シス／トランス−クリサンテマート（ゴキラート、住友化学工業（株））。
＊エトフェンプロックス；２−（４−エトキシフェニル）−２−メチルプロピル−３−フェノキシベンジルエーテル（トレボン）。
＊テフルスリン；２，３，５，６−テトラフルオロ−４−メチルベンジル−３−（２−クロロ−３，３，３−トリフルオロ−１−プロペニル）−２，２−ジメチル−１−シクロプロパンカルボキシラート。
＊フェンプロパトリン；α−シアノ−３−フェノキシベンジル  −シス／トランス−２，２，３，３−テトラメチルシクロプロパンカルボキシート。
＊フェンフルスリン；２，３，４，５，６−ペンタフルオロベンジル−ｄｌ−シス／トランス−３−（２，２−ジクロロビニル）−２，２′−ジメチル−１−シクロプロパンカルボキシラート。
＊１−エチニル−２−メチル−２−ペンテニル  シス／トランス−２，２，３，３−テトラメチル−１−シクロプロパンカルボキシラート。
有機リン系殺虫剤の具体例としては、以下のものが挙げられる。
＊ダイアジノン；（２−イソプロピル−４−メチルピリミジル−６）−ジエチルチオホスフェート（ダイアジノン）。
＊フェニトロチオン、ＭＥＰ；Ｏ，Ｏ−ジメチル−Ｏ−（３−メチル−４−ニトロフェニル）チオホスフェート（スミチオン）。
＊ピリダフェンチオン；Ｏ，Ｏ−ジメチル−Ｏ−（３−オキソ−２−フェニル−２Ｈ−ピリダジン−６−イル）ホスホロチオエート（オフナック）。
＊マラチオン；ジメチルジカルベトキシエチルジチオホスフェート（マラソン）。
【００８１】
＊ディプテレックス；Ｏ，Ｏ−ジメチル−２，２，２−トリクロロ−１−ハイドロオキシエチル  ホスホネイト。
＊クロルピリホス；Ｏ，Ｏ−ジメチル−Ｏ−（３，５，６−トリクロル−２−ピリジル）−ホスホロチオエート。
＊フェンチオン；Ｏ，Ｏ−ジメチル−Ｏ−（３−メチル−４−メチルチオフェニル）−ホスホロチオエート（バイテックス）。
＊ジクロルボス；Ｏ，Ｏ−ジメチル−２，２−ジクロロビニルホスフェート（ＤＤＶＰ）。
＊プロペタンホス；Ｏ−［（Ｅ）−２−イソプロボキシカルボニル−１−メチルビニル］−Ｏ−メチルエチルホスホラミドチオエート（サフロチン）。
＊アベイト；Ｏ，Ｏ，Ｏ′，Ｏ′−テトラメチル−Ｏ，Ｏ′−チオジ−Ｐ−フェニレン  ホスホロチオエート。
＊プロチオホス；ジチオリン酸Ｏ−２，４−ジクロロフェニル  Ｏ−エチルＳ−プロピルエステル（トヨチオン）。
＊ホキシム；Ｏ，Ｏ−ジエチル−Ｏ−（α−シアノベンジリデンアミノ）チオホスフェート。
オキサジアゾール系殺虫剤としては以下のものが挙げられる。
＊メトキサジアゾン；５−メトキシ−３−（２−メトキシフェニル）−Ｏ−１，３，４−オキサジアゾール−２−（３Ｈ）−オン（エレミック）。
【００８２】
クロロニコチン系殺虫剤の具体例としては、以下のものが挙げられる。
＊イミダクロプリド；１−（６−クロロ−３−ピリジルメチル）−Ｎ−ニトロイミダゾリジン−２−イリデンアミン（ハチクサン）。
＊アセタミプロリド；（Ｅ）−Ｎ１−［（６−クロロ−３−ピリジル）メチル］−Ｎ２−シアノ−Ｎ１−メチルアセトンアミジン（モスピラン）。
【００８３】
成長制御剤の具体例としては、以下のものが挙げられる。
＊ピリプロキシフェン；４−フェノキシフェニル（ＲＳ）−２−（２−ピリジルオキシ）プロピルエーテル。
＊メトプレン；１１−メトキシ−３，７，１１−トリメチル−２，４−ドデカジエノイックアシド−１−メチルエチルエステル。
＊ハイドロプレン；エチル（２Ｅ，４Ｅ）−３，７，１１，トリメチル−２，４ドデカジエノエート。
＊フェノキシカルブ；エチル［２−（４−フェノキシフェノキシ）エチル］カーバメート。
【００８４】
忌避剤の具体例としては、以下のようなものが挙げられる。
＊Ｎ，Ｎ−ジエチル−ｍ−トルアミド（ディート）。
＊ジメチルフタレート。
＊ジブチルフタレート。
＊２−エチル−１，３−ヘキサンジオール。
＊１，４，４ａ，５ａ，６，９，９ａ，９ｂ−オクタヒドロジベンゾフラン−４ａ−カルバルデヒド。
＊ジ−ｎ−プロピル  イソシンコメロネート。
＊ｐ−ジクロロベンゼン。
＊ジ−ｎ−ブチルサクシネート。
＊カプリン酸ジエチルアミド。
＊Ｎ−プロピルアセトアニリド。
＊β−ナフトール。
＊カンファー。
【００８５】
本発明には、上記した有効成分の劣化を防止するための酸化防止剤や紫外線吸収剤のみならず、有効成分の揮散を調整するための制御剤、芳香、消臭、殺菌などの機能を付与する物質などを任意に添加することができる。また、芳香剤、消臭剤、殺菌剤などを各々単独に揮散させることも当然行い得る。
【００８６】
【発明の効果】
本発明によれば、請求項１に記載された構成により、装置本体、電源収納体、薬剤容器のそれぞれが互いに独立した容積（大きさ）を採用することができ、容量の異なる装置本体、薬剤容器、電源収納体を用意してこれを選択的に用いることにより、様々な大きさのファン及びモータ（送風機）の採用、ファンによる送風量に対する薬剤の保持量の増減、使用時間の長短の調整等の設定を使用場所により容易に行うことができる。また薬剤容器内の薬剤の消費終了により、薬剤容器の交換だけもすることができる。
また、電源として電池が使用されている場合に、電池が消耗し、または／及び薬剤が消費終了したときに、装置本体に対してカートリッジ自体を交換するだけで直ちに再度使用でき、簡便である。
【００８８】
請求項２に記載されたものでは、電源収納体と薬剤容器保持体とが一体となってカートリッジを形成しているが、電源収納体と薬剤容器保持体を分断、別体とし、それぞれを装置本体に装着する構成にすることもできる。このようにすることにより、例えば、電源が商業電力の場合、薬剤容器保持体を装置本体から取り外すことにより、薬剤容器のみの交換が可能となる。
【００８９】
また、請求項２に記載された構成のように、薬剤容器保持体と薬剤容器とを一体的に形成することにより、このものを成形するときの経済的有利性を得ることができる。また、薬剤容器を薬剤容器保持体に取り付ける手間を省くことができる。
【００９０】
また、請求項３に記載された構成では、装置本体側にスイッチとパイロットランプが備えてあるので、カートリッジが廃棄されても、スイッチとパイロットランプがカートリッジと共に廃棄されることがなく無駄がない。
【００９１】
また、請求項４に記載された構成では、装置本体のみでスイッチをオンにしてもファンは駆動されず誤使用の恐れがない。
【００９２】
また、請求項５及び７に記載された構成では、本発明装置を紐で吊して使用したり、肩から吊し、さらにバンドにはさんで使用できる。このときの排気は装置本体の側面から側方に向けて排出されるため、薬剤を含んだ気流は身体全体を包み込むように流れるので、身体に対する薬剤の作用効力が高められる。さらに本発明装置は他の物品に固定して使用できるので、転倒などの危険性はない。
【００９３】
また、請求項６に記載された構成では、装着解除手段で装着を解除しない限り、カートリッジが装置本体から離脱することがないので、例えば、野外作業において、肩から吊して本発明装置を使用する場合等において、カートリッジを紛失することがない。装着解除ボタンが装置本体側にあるので、仮にカートリッジを廃棄しても装着解除手段は繰り返し使うことができる。
【００９４】
また、請求項８に記載された構成では、薬剤を含んだ気流によって電源が腐食等の汚染に晒されることがない。また請求項９に記載された構成では、電源に電池を用いたことにより、電源収納体をカートリッジとして交換することが可能になると共に、野外等の商業電源がない場所でも使用可能で携帯用として用いることができる。
【００９５】
そして、請求項１０に記載された構成では、電源である電池の有無の確認が容易にでき、請求項１１に記載された構成では、電源である電池の出し入れが簡単になり、電源の保守、交換が容易にできる。
【００９６】
また、請求項１２に記載された構成では、装置本体にカートリッジを装着するだけで本発明装置の動作のために必要な電気的接続が完了させることができる。
【００９７】
さらに、請求項１３に記載された構成では、電池が消耗してファンが停止した時点で薬剤容器内の薬剤も消費終了となり、従ってこの双方を交換すればよく、メンテナンスが容易である。
【００９８】
そしてさらに、請求項１４及び請求項１５に記載された構成では、装置本体と電源収納部との装着を容易に行うことができる。また請求項１６に記載された構成では、パイロットランプに発光ダイオードを用いるので、電源（電池）の消費エネルギーの節約になる。
【００９９】
また、請求項１７に記載された構成では、薬剤容器が薬剤容器保持体の外側からこれの薬剤容器保持部に対して着脱することができ、薬剤容器の装置に対する交換を容易に行うことができる。また、請求項１８に記載された構成では、外側通風口や装置から突出している部分の薬剤容器に雨水が入るのを防止できる。
【０１００】
また、請求項１９に記載された構成では、薬剤容器内を通る風をヒータにて加熱することができ、薬剤容器内の薬剤含浸体の薬剤の揮散を良好に行うことができる。
【０１０１】
さらに、請求項２０及び２１に記載の構成では、装置に装着して用いる薬剤容器の容量を変えることができ、使用時間を変えることができる。そして請求項２２に記載された構成では、薬剤容器を通る風量を制御できる。
【０１０２】
また、請求項２３に記載された構成では、最初にタイマーを設定しておけば、スイッチのオン、オフの操作を省くことができ、使用者が望む時間だけ使用できるので、消し忘れによる無駄を防ぐことができる。
【図面の簡単な説明】
【図１】本発明に係る装置を示す正面図である。
【図２】本発明に係る装置を示す側面図である。
【図３】本発明に係る装置を示す背面図である。
【図４】図１のＡ−Ａ線に沿う断面矢視図である。
【図５】薬剤容器と電源を装着した状態の本発明に係る装置の分解斜視図である。
【図６】薬剤容器と電源を装着した状態のカートリッジを示す正面図である。
【図７】薬剤容器と電源を装着した状態のカートリッジを示す側面図である。
【図８】薬剤容器と電源を装着した状態のカートリッジを示す背面図である。
【図９】装置本体を示す正面図である。
【図１０】装置本体を示す側面図である。
【図１１】装置本体の内部を示す断面図である。
【図１２】電源収容体内に電池を４本収納した例を示す断面図である。
【図１３】薬剤容器をカートリッジの薬剤容器保持部の外側から挿入する例を示す断面図である。
【図１４】通風口とカートリッジの薬剤容器保持部の外側にフードを取り付けた例を示す正面図である。
【図１５】通風口と薬剤容器保持部の外側にフードを取り付けた例を示す側面図である。
【図１６】薬液を用いた例を示す薬剤容器の縦断側面図である。
【図１７】薬液を用いた例を示す薬剤容器の一部破断正面図である。
【図１８】軸流ファン及びヒータを用いた例を示す断面図である。
【図１９】薬液容器を継筒にて連結する例を示す一部破断側面図である。
【図２０】容量を可変にした薬剤容器を示す断面図である。
【図２１】薬剤容器に蛇腹の形態を用いた例を示す一部破断側面図である。
【図２２】内部を通る空気量を制御可能にした薬剤容器を示す断面図である。
【図２３】内部を通る空気量を制御可能にした薬剤容器の一側端面を示す正面図である。
【図２４】シャッタを示す正面図である。
【図２５】カートリッジを電源収納体と薬剤容器保持体に着脱自在に分離できるようにした例を分解して示す側面図である。
【図２６】カートリッジを電源収納体と薬剤容器保持体に着脱自在に分離できるようにした例を分解して示す正面図である。
１…装置本体、２…カートリッジ、２ａ…電源収納体、２ｂ…薬剤容器保持体、３，５４，６３，６８…薬剤容器、３ａ，６３ａ…容器本体、３ｂ，６３ｂ…蓋体、４…薬剤容器保持部、６…装着解除ボタン、７…フランジ、１０…薬剤含浸体、１１…電源収納部、１２…電池、１３…電池ケース、１４…接続端子、１５…切欠き、１６…切欠き穴、１７…外側壁、１８…孔、１９…係止ノッチ、２０…フック、２１ａ，２１ｂ…突片、２２…係止突起、２３，２３ａ，２３ｂ…レール、２４…内側通風口、２５，２６…内壁、２７…外壁、２８…外側通風口、２９…ダクト、３０…モータ、３１…軸、３２，５９…ファン、３３…係合穴、３４…溝、３５…ばね部、３６…接触子、３７…スイッチ、３８…パイロットランプ、３８ａ…タイマ、３９…摺動片、４０…クリップ、４２…突起、４３…紐通し孔、５１，５２…フード、５３…係止部、５５…仕切板、５６…薬液、５７…含浸体、５８…吸液芯、６０…ヒータ、６１…係止部、６２…継筒、６４ａ，６４ｂ，６４ｃ…係合溝、６５…突条、６８ａ…通気部分、６９…シャッタ、７１…開口窓。
【図１】
0004790161.tif 000002
【図２】
0004790161.tif 000003
【図３】
0004790161.tif 000004
【図４】
0004790161.tif 000005
【図５】
0004790161.tif 000006
【図６】
0004790161.tif 000007
【図７】
0004790161.tif 000008
【図８】
0004790161.tif 000009
【図９】
0004790161.tif 000010
【図１０】
0004790161.tif 000011
【図１１】
0004790161.tif 000012
【図１２】
0004790161.tif 000013
【図１３】
0004790161.tif 000014
【図１４】
0004790161.tif 000015
【図１５】
0004790161.tif 000016
【図１６】
0004790161.tif 000017
【図１７】
0004790161.tif 000018
【図１８】
0004790161.tif 000019
【図１９】
0004790161.tif 000020
【図２０】
0004790161.tif 000021
【図２１】
0004790161.tif 000022
【図２２】
0004790161.tif 000023
【図２３】
0004790161.tif 000024
【図２４】
0004790161.tif 000025
【図２５】
0004790161.tif 000026
【図２６】
0004790161.tif 000027